(57)【要約】【課題】  所定の入力端子に所定の信号が入力されない場合であっても、ＢＥＲ測定を実施可能にするための装置を提供する。【解決手段】  ＢＥＲ測定に用いられるシリアル信号の種類を自動的に検出する装置（４０）は、入力手段（４１）と、検出手段（４２）と、セレクタ（４３）とを備える。入力手段（４１）は、少なくとも２つの信号を入力する。前記少なくとも２つの信号は、データ信号と、前記データ信号の１ビットに相当する周期を持つクロック信号と、を含む。検出手段（４２）は、前記少なくとも２つの信号の種類を検出し、前記少なくとも２つの信号のどの信号が、クロック信号又はデータ信号であるのかを判定する。セレクタ（４３）は、クロック信号及びデータ信号であると判定された信号を、それぞれ、クロック信号及びデータ信号用の端子から出力する。【選択図】  図４
2006186523.tif 000002
【特許請求の範囲】
【請求項１】
ＢＥＲ測定に用いられるシリアル信号の種類を自動的に検出する装置（４０）であって、
少なくとも２つの信号を入力する入力手段（４１）であって、前記少なくとも２つの信号の１つは、データ信号であり、前記少なくとも２つの信号のもう１つは、前記データ信号の１ビットに相当する周期を持つクロック信号である、入力手段（４１）と、
前記入力手段（４１）に入力された前記少なくとも２つの信号の種類を検出する検出手段（４２）であって、前記少なくとも２つの信号のどの信号が、クロック信号であるのかを判定し、前記少なくとも２つの信号のどの信号が、データ信号であるのかを判定する、検出手段（４２）と、
クロック信号であると判定された信号をクロック信号用の端子から出力し、データ信号であると判定された信号をデータ信号用の端子から出力するセレクタ（４３）と、
を備える装置（４０）。
【請求項２】
請求項１に記載の装置（４０）であって、
前記少なくとも２つの信号は、前記データ信号の有効部分を示す有効（Ｖａｌｉｄ）信号を含む３つの信号であり、
前記検出手段（４２）は、前記３つの信号から、有効信号を判定し、
前記セレクタ（４３）は、有効信号であると判定された信号を有効信号用の端子から出力する、装置（４０）。
【請求項３】
請求項１に記載の装置（４０）であって、
前記少なくとも２つの信号は、前記データ信号の有効部分を示す有効（Ｖａｌｉｄ）信号と、前記データ信号のヘッダー・データ部分を示す同期（Ｓｙｎｃ）信号とを含む４つの信号であり、
前記検出手段（４２）は、前記４つの信号から、有効信号と同期信号とを判定し、
前記セレクタ（４３）は、有効信号であると判定された信号を有効信号用の端子から出力し、同期信号と判定された信号を同期信号用の端子から出力する、装置（４０）。
【請求項４】
請求項１に記載の装置（４０）であって、
入力手段（４１）は、復調装置（２０）によって生成された、前記少なくとも２つの信号を入力する、装置（４０）。
【請求項５】
請求項１に記載の装置（４０）であって、ＢＥＲ測定装置（８０）に組み込まれている装置（４０）。
【請求項６】
請求項１に記載の装置（４０）であって、
前記データ信号は、ＭＰＥＧ−２ ＴＳ形式のトランスポートストリームである、装置（４０）。
【請求項７】
請求項１に記載の装置（４０）であって、
前記検出手段（４２）は、前記少なくとも２つの信号それぞれのレベルの変化をカウントする手段（５２）と、それらのカウント値を比較する手段（５３）とを備え、
前記検出手段（４２）は、最も大きいカウント値に対応する信号をクロック信号として判定する、装置（４０）。
【請求項８】
請求項７記載の装置（４０）であって、
前記検出手段（４２）は、少なくとも１つの信号のそれぞれに、前記ヘッダー・データ部分が含まれているか否かを検出する手段（５４）を備え、
前記少なくとも１つの信号は、前記少なくとも２つの信号から、クロック信号であると判定された信号を除かれた信号であり、
前記検出手段（４２）は、前記ヘッダー・データ部分が含まれていた信号をデータ信号として判定する、装置（４０）。
【請求項９】
請求項８に記載の装置（４０）であって、
前記少なくとも２つの信号は、前記データ信号の有効部分を示す有効（Ｖａｌｉｄ）信号を含む３つの信号であり、
前記検出手段（４２）は、前記３つの信号の残りの信号を、有効信号を判定し、
前記セレクタ（４３）は、有効信号であると判定された信号を有効信号用の端子から出力する、装置（４０）。
【請求項１０】
請求項８に記載の装置（４０）であって、
前記少なくとも２つの信号は、前記データ信号の有効部分を示す有効（Ｖａｌｉｄ）信号と、前記データ信号のヘッダー・データ部分を示す同期（Ｓｙｎｃ）信号とを含む４つの信号であり、
前記検出手段（４２）は、前記４つの信号の残りの２つの信号のそれぞれのＬＯＷ状態をカウントする手段（５５、５６）と、それらのカウント値を比較する手段（５７）とを備え、
前記データ信号は、正論理を示し、
前記検出手段（４２）は、小さいカウント値に対応する信号を同期信号として判定し、残りの１つの信号を有効信号と判定し、
前記セレクタ（４３）は、有効信号であると判定された信号を有効信号用の端子から出力し、同期信号と判定された信号を同期信号用の端子から出力する、装置（４０）。
【発明の詳細な説明】
【技術分野】
【０００１】
本発明は、ＢＥＲ（ビットエラーレート）測定に用いられるシリアル信号の種類を自動的に検出する装置に関連し、より詳細には、変調信号を復調する装置から出力される４つのシリアル信号から、クロック信号、データ信号、同期（Ｓｙｎｃ）及び有効（Ｖａｌｉｄ）信号を自動的に検出し、それらの信号をＢＥＲ測定装置に出力する装置に関連する。
【背景技術】
【０００２】
従来の測定装置、例えば、営電株式会社から入手可能な「７７０６Ａ−００１  ＴＳ  ＴＲＮＳＭＩＳＳＩＯＮ  ＴＥＳＴＥＲ」は、クロック信号、データ信号、Ｓｙｎｃ信号及びＶａｌｉｄ信号を入力するための４つの入力端子を備えている（以下に示す非特許文献１に示される製品の外観図を参照）。従来の測定装置は、４つの端子から入力したクロック信号、データ信号、Ｓｙｎｃ信号及びＶａｌｉｄ信号に基づいて、データ信号のＢＥＲを測定する。
【非特許文献１】ＥＩＤＥＮ  Ｃｏ．，  Ｌｔｄ．（営電株式会社）、“７７０６Ａ−００１  ＴＳ  ＴＲＡＮＳＭＩＳＳＩＯＮ  ＴＥＳＴＥＲ（７７０６Ａ−００１  ＴＳ伝送テスター）”、インターネット＜ＵＲＬ：ｈｔｔｐ：／／ｗｗｗ．ｅｉｄｅｎ−ｇｐ．ｃｏ．ｊｐ／ｐｒｏｄｕｃｔｓ−ｈｔｍｌ／ｅ７７０６ａ．ｈｔｍ＞
【発明の開示】
【発明が解決しようとする課題】
【０００３】
従来の復調装置は、一般に、クロック信号、データ信号、Ｓｙｎｃ信号及びＶａｌｉｄ信号を出力するための４つの出力端子を備えている。従って、４つの出力端子（例えば、クロック信号用の出力端子）は、それぞれ、対応する入力端子（例えば、クロック信号用の出力端子）に、ケーブルを介して接続されないと、従来の測定装置は、ＢＥＲ測定を実施することができない。また、４つの出力端子を、それぞれ、対応する入力端子に接続することは、ユーザにとって煩雑である。
【０００４】
本発明の目的は、所定の入力端子に所定の信号が入力されない場合であっても、ＢＥＲ測定を実施可能にするための装置を提供することである。
本発明のもう１つの目的は、ＢＥＲ測定を準備する際にユーザが配線を気にしなくてもよい装置を提供することである。
【０００５】
本発明の他の目的は、以下に説明する発明の実施形態を参照することによって、明らかになるであろう。
【課題を解決するための手段】
【０００６】
本発明の装置は、ＢＥＲ測定に用いられるシリアル信号の種類を自動的に検出する装置（４０）である。本発明の装置は（４０）は、少なくとも２つの信号を入力する入力手段（４１）であって、前記少なくとも２つの信号の１つは、データ信号であり、前記少なくとも２つの信号のもう１つは、前記データ信号の１ビットに相当する周期を持つクロック信号である、入力手段（４１）と、前記入力手段（４１）に入力された前記少なくとも２つの信号の種類を検出する検出手段（４２）であって、前記少なくとも２つの信号のどの信号が、クロック信号であるのかを判定し、前記少なくとも２つの信号のどの信号が、データ信号であるのかを判定する、検出手段（４２）と、クロック信号であると判定された信号をクロック信号用の端子から出力し、データ信号であると判定された信号をデータ信号用の端子から出力するセレクタ（４３）と、を備える。
【０００７】
前記少なくとも２つの信号は、前記データ信号の有効部分を示す有効（Ｖａｌｉｄ）信号を含む３つの信号でもよい。前記検出手段（４２）は、前記３つの信号から、有効信号を判定することができ、前記セレクタ（４３）は、有効信号であると判定された信号を有効信号用の端子から出力することができる。
【０００８】
前記３つの信号は、前記データ信号のヘッダー・データ部分を示す同期（Ｓｙｎｃ）信号をさらに含む４つの信号でもよい。前記検出手段（４２）は、前記４つの信号から、有効信号と同期信号とを判定することができ、前記セレクタ（４３）は、有効信号であると判定された信号を有効信号用の端子から出力し、同期信号と判定された信号を同期信号用の端子から出力することができる。
【発明を実施するための最良の形態】
【０００９】
図１は、ＢＥＲを測定するシステムを構成する例を示す。図２は、図１の復調装置２０を構成する例を示す。図３は、復調装置２０によって生成されるクロック信号、データ信号、Ｓｙｎｃ信号及びＶａｌｉｄ信号を説明するための図である。
【００１０】
図１に示すように、ＢＥＲを測定するシステムは、復調装置２０と、シリアル信号自動検出装置４０を備えるＢＥＲ測定装置８０と、を備える。
例えば図２において、復調装置２０の入力手段（例えば、アンテナ２１）は、ＭＰＥＧ−２ＴＳ形式のデータを符号化且つ変調（例えば、ＱＰＳＫ変調）した信号を入力する。復調装置２０の復調回路２２は、符号化且つ変調された信号を復調し、シリアル・データを出力するタイミングを司るクロック信号、そのクロック信号に同期したデータ信号、データ中のデータ有効部を表すＶａｌｉｄ信号、およびデータ中の所定データ（ヘッダー・データ）を表すＳｙｎｃ信号を生成する。
【００１１】
復調回路２２は、前記４つの信号のうちＳｙｎｃ信号を除いた３つの信号だけを生成したり、また、Ｖａｌｉｄ信号及びＳｙｎｃ信号を除いた２つの信号だけを生成することもできる。
【００１２】
例えば図３に示すように、クロック信号は、一定の周期を持つ信号であり、その一定の周期は、データ信号の最小単位（１ビット）に相当する。
データ信号は、所定のパケットサイズ（図３において、２０４バイト）毎に、所定のデータ（図３において、符号３２、３４）を有する。データ信号が、ＭＰＥＧ−２ＴＳ形式のデータである場合、データ信号の所定のデータ（ヘッダー・データ）は、４７（Ｈｅｘ）を表す「０１０００１１１」である。なお、データ信号が、ＭＰＥＧ−２ＴＳ形式のデータである場合、所定のパケットサイズは、図３において示される２０４バイト（図３において、符号３１）、又は、図示されていない１８８バイトである。
【００１３】
例えば図３において、Ｖａｌｉｄ信号は、１バイト〜１８８バイトに位置するデータ信号が有効であることを表す。また、Ｓｙｎｃ信号は、１バイトに位置する所定のデータ（ヘッダー・データ）を表す。
【００１４】
なお、データ信号の有効部分であって、所定のデータ（ヘッダー・データ）を除く部分（図３において、符号３３）は、ＢＥＲ測定用の擬似ランダム・ノイズ（ＰＮ：Ｐｓｅｕｄｏ−Ｒａｎｄｏｍ  Ｎｏｉｓｅ）データである。
【００１５】
図２において、復調装置２０の出力手段（例えば、出力端子２３）は、復調回路２２によって生成された信号（クロック信号、データ信号、Ｓｙｎｃ信号及びＶａｌｉｄ信号；クロック信号、データ信号及びＶａｌｉｄ信号；又はクロック信号及びデータ信号）を出力する。
【００１６】
図２に示す復調回路２２によって生成された信号が、クロック信号、データ信号、Ｓｙｎｃ信号及びＶａｌｉｄ信号である場合、出力端子２３は、４つの出力端子から構成される。図２に示す復調回路２２によって生成された信号が、クロック信号、データ信号及びＶａｌｉｄ信号である場合、出力端子２３は、３つの出力端子から構成される。図２に示す復調回路２２によって生成された信号が、クロック信号及びデータ信号である場合、出力端子２３は、２つの出力端子から構成される。
【００１７】
図４は、ＢＥＲ測定装置８０のシリアル信号自動検出装置４０を構成する例を示す。図４において、シリアル信号自動検出装置４０の入力手段（例えば、入力端子４１）は、復調装置２０から出力された信号（クロック信号、データ信号、Ｓｙｎｃ信号及びＶａｌｉｄ信号；クロック信号、データ信号及びＶａｌｉｄ信号；又はクロック信号及びデータ信号）を入力し、入力した信号を検出回路４２及びセレクタ４３に出力する。
【００１８】
図４に示すシリアル信号自動検出装置４０の入力端子４１は、４つの入力端子から構成される。なお、ユーザは、図２の出力端子２３を構成する４つの出力端子のそれぞれを、入力端子４１を構成する４つの入力端子に自由に接続することができる。すなわち、ユーザは、例えばクロック信号用の出力端子を、４つの入力端子のうち、どの入力端子に接続してもよい。
【００１９】
検出回路４２は、復調装置２０から出力されたシリアル信号の種類を検出し、各信号の種類を表す検出情報信号をセレクタ４３に出力する。検出情報信号は、例えば、入力端子４１を構成する第１〜第４の入力端子に入力される信号は、それぞれ、データ信号、Ｖａｌｉｄ信号、クロック信号及びＳｙｎｃ信号であることを示す。
【００２０】
セレクタ４３は、復調装置２０から出力された信号を入力端子４１を介して入力し、また、検出情報信号を検出回路４２から入力する。セレクタ４３は、検出情報信号に基づいて、復調装置２０から出力された信号を、対応する専用端子から出力する。例えば、入力端子４１を構成する第１〜第４の端子に、それぞれ、データ信号、Ｖａｌｉｄ信号、クロック信号及びＳｙｎｃ信号が入力される場合、セレクタ４３は、第３の端子を介して入力されたクロック信号をクロック信号用の専用端子から出力し、第１の端子を介して入力されたデータ信号をデータ信号用の専用端子から出力し、第４の端子を介して入力されたＳｙｎｃ信号をＳｙｎｃ信号用の専用端子から出力し、第２の端子を介して入力されたＶａｌｉｄ信号をＶａｌｉｄ信号用の専用端子から出力する。
【００２１】
図１において、ＢＥＲ測定装置８０のシリアル信号自動検出装置４０以外のＢＥＲ測定手段は、シリアル信号自動検出装置４０（のセレクタ４３）から出力されるクロック信号、データ信号、Ｓｙｎｃ信号及びＶａｌｉｄ信号を入力する。また、ＢＥＲ測定手段は、擬似ランダム・データを生成する手段と、シリアル信号自動検出装置４０から出力されるデータ信号から抽出した擬似ランダム・データと前記の擬似ランダム・データを生成する手段との同期を図る手段と、を備える。ＢＥＲ測定手段は、クロック信号、データ信号、Ｓｙｎｃ信号及びＶａｌｉｄ信号から、データ信号内の擬似ランダム・データを抽出し、ＢＥＲ測定装置８０で生成した擬似ランダム・データと前記抽出された擬似ランダム・データとを比較し、ＢＥＲを測定する。なお、Ｓｙｎｃ信号がない場合、ＢＥＲ測定手段は、クロック信号、データ信号及びＶａｌｉｄ信号から、擬似ランダム・データを抽出する。また、Ｓｙｎｃ信号及びＶａｌｉｄ信号がない場合、ＢＥＲ測定手段は、クロック信号及びデータ信号から、擬似ランダム・データを抽出する。なお、擬似ランダム・データを抽出する手法は、周知であるので、その詳細な説明は、ここでは、省略する。
【００２２】
図５は、図４の検出回路４２を構成する例を示す。図５において、検出回路４２のマスタクロック生成回路５１は、マスタクロック（ＭＣＬＫ）信号を生成し、レベル変化カウンタ５２に出力する。なお、マスタクロック信号の周期（ＴＭＣ）は、復調回路２２によって生成されたクロック信号の周期（ＴＣ）の半分よりも小さい（ＴＭＣ＜ＴＣ／２）。図６は、図３に、マスタクロック生成回路５１によって生成されるマスタクロック信号を加えた図である。
【００２３】
図５において、レベル変化カウンタ５２は、マスタクロック信号をマスタクロック生成回路５１から入力し、また、図２の出力端子２３から出力された信号（クロック信号、データ信号、Ｓｙｎｃ信号及びＶａｌｉｄ信号；クロック信号、データ信号及びＶａｌｉｄ信号；又はクロック信号及びデータ信号）を図４の入力端子４１から入力する。入力端子４１が、第１〜第４の入力端子によって構成される場合、レベル変化カウンタ５２は、クロック信号、データ信号、Ｓｙｎｃ信号及びＶａｌｉｄ信号を入力する。但し、出力端子２３と入力端子４１との間の接続は、ユーザによって自由に決定することができるので、レベル変化カウンタ５２自身は、入力端子４１を構成する第１〜第４の入力端子のそれぞれに、どの信号（クロック信号、データ信号、Ｓｙｎｃ信号又はＶａｌｉｄ信号）が入力されているか、認識することはできない。
【００２４】
レベル変化カウンタ５２は、入力端子４１を構成する第１〜第４の入力端子のそれぞれから入力した信号のレベルの変化を、マスタクロック信号を用いてカウントする。例えば、マスタクロック信号がＨＩＧＨを示す毎に、レベル変化カウンタ５２は、第１の入力端子の信号がＨＩＧＨ又はＬＯＷの何れかであるのかを判定し、さらに、その結果を、マスタクロック信号が以前にＨＩＧＨを示した時に第１の入力端子の信号がＨＩＧＨ又はＬＯＷの何れかであったかを示す判定結果と比較する。その結果、現在の判定結果と以前の判定結果が異なるときだけ、レベル変化カウンタ５２は、カウントする。すなわち、マスタクロック信号がＨＩＧＨを示す毎に、レベル変化カウンタ５２は、第１の入力端子の信号が、ＨＩＧＨからＬＯＷに又はＬＯＷからＨＩＧＨに変化するか否かを判定し、第１の入力端子の信号が変化するときにだけカウントする。レベル変化カウンタ５２は、第２〜第４の入力端子の信号も同様に、各信号のレベルの変化をカウントする。レベル変化カウンタ５２は、入力端子４１を構成する第１〜第４の入力端子のそれぞれから入力した信号のレベルの変化を、マスタクロック信号を用いてカウントする。
【００２５】
レベル変化カウンタ５２は、入力端子４１を構成する第１〜第４の入力端子のそれぞれの信号のレベルの変化を、マスタクロック信号を用いてカウントし、そのカウント値のいずれかのひとつがある値（例えば１００）に達した時点で、それぞれを比較器５３に出力する。
【００２６】
比較器５３は、入力端子４１を構成する第１〜第４の入力端子のそれぞれの信号に対応するカウント値を互いに比較し、最も大きいカウント値を判定する。比較器５３はさらに、最も大きいカウント値が第１〜第４の入力端子のどれに対応するかを示す比較結果情報信号を、シフトレジスタ５４、カウンタ５５及び５６、並びにレジスタ５８に出力する。なお、図６を参照すると、最も多くレベルが変化する信号は、クロック信号であることが理解できる。
【００２７】
シフトレジスタ５４は、クロック信号が入力端子４１を構成する第１〜第４の入力端子のどれに対応するかを示す比較結果情報信号を、比較器５３から入力し、さらに、入力端子４１を構成する第１〜第４の入力端子に入力された信号を、入力端子４１から入力する。シフトレジスタ５４は、比較結果情報信号に基づいてクロック信号に対応する入力端子（例えば、第３の入力端子）を判定し、クロック信号以外に対応する入力端子（例えば、第１、第２及び第４の入力端子）の信号のそれぞれを、クロック信号を用いて、データ信号の所定のデータ（ヘッダー・データ）のビット数だけ格納する。データ信号が、ＭＰＥＧ−２ＴＳ形式である場合、データ信号の所定のデータは、４７（Ｈｅｘ）を表す「０１０００１１１」である。したがって、この場合、シフトレジスタ５４は、クロック信号以外に対応する入力端子（例えば、第１、第２及び第４の入力端子）の信号のそれぞれを、８ビットだけ格納する。クロック信号がＨＩＧＨを示す毎に、シフトレジスタ５４は、クロック信号以外に対応する入力端子（例えば、第１、第２及び第４の入力端子）の信号のそれぞれの８ビットが、「０１０００１１１」を示すか否かを判定する。シフトレジスタ５４は、データ信号の所定のデータ（例えば、「０１０００１１１」）を検出した時、検出タイミング信号を生成する。シフトレジスタ５４はさらに、データ信号の所定のデータ（ヘッダー・データ）が検出された入力端子（例えば、第１の入力端子）を示す検出結果情報信号を、検出タイミング信号とともに、信号状態カウンタ５５及び５６に出力する。また、シフトレジスタ５４は、検出結果情報信号を、レジスタ５８にも出力する。
【００２８】
信号状態カウンタ５５及び５６のそれぞれは、クロック信号が入力端子４１を構成する第１〜第４の入力端子のどれに対応するかを示す比較結果情報信号を、比較器５３から入力し、また、データ信号が入力端子４１を構成する第１〜第４の入力端子のどれに対応するかを示す検出結果情報信号を、シフトレジスタ５４から入力し、さらに、データ信号の所定のデータ（ヘッダー・データ）が検出されたタイミングを示す検出タイミング信号を、シフトレジスタ５４から入力する。信号状態カウンタ５５及び５６のそれぞれはさらに、入力端子４１を構成する第１〜第４の入力端子に入力された信号を、入力端子４１から入力する。
【００２９】
信号状態カウンタ５５及び５６のそれぞれは、比較結果情報信号及び検出結果情報信号に基づいてクロック信号及びデータ信号に対応する入力端子（例えば、第３及び第１の入力端子）を判定する。信号状態カウンタ５５及び５６のそれぞれはさらに、クロック信号及びデータ信号以外に対応する入力端子（例えば、第２及び第４の入力端子）の信号のそれぞれのＨＩＧＨ状態を、クロック信号を用いてカウントする。このとき、信号状態カウンタ５５及び５６のそれぞれは、入力端子（例えば、第２及び第４の入力端子）の信号のそれぞれのＨＩＧＨ状態を、検出タイミング信号をシフトレジスタ４２から入力したときから、データ信号の所定のパケットサイズ（例えば、図６において符号３１で示される２０４バイト）まで、カウントする。信号状態カウンタ５５及び５６のそれぞれは、そのカウント値を比較器５７に出力する。
【００３０】
比較器５７は、信号状態カウンタ５５及び５６のそれぞれに対応するカウント値を互いに比較し、小さいカウント値を判定する。比較器５７はさらに、小さいカウント値が第１〜第４の入力端子のどれに対応するかを示す第２の比較結果情報信号を、レジスタ５８に出力する。なお、図６を参照すると、ＨＩＧＨ状態が少ない信号は、Ｓｙｎｃ信号であることが理解できる（符号６１を参照）。
【００３１】
レジスタ５８は、クロック信号が入力端子４１を構成する第１〜第４の入力端子のどれに対応するかを示す比較結果情報信号を、比較器５３から入力し、また、データ信号が入力端子４１を構成する第１〜第４の入力端子のどれに対応するかを示す検出結果情報信号を、シフトレジスタ５４から入力し、さらに、Ｓｙｎｃ信号が入力端子４１を構成する第１〜第４の入力端子のどれに対応するかを示す第２の比較結果情報信号を、比較器５７から入力する。
【００３２】
レジスタ５８は、比較結果情報信号、検出結果情報信号及び第２の比較結果情報信号に基づいて、クロック信号、データ信号及びＳｙｎｃ信号に対応する入力端子（例えば、第３、第１及び第４の入力端子）を判定する。レジスタ５８はさらに、残りの入力端子（例えば、第２の入力端子）がＶｌａｉｄ信号に対応することを判定する。レジスタ５８は、クロック信号、データ信号、Ｓｙｎｃ信号及びＶａｌｉｄ信号のそれぞれが、第１〜第４の入力端子のどれに対応するかを示す検出情報信号を、図４のセレクタ４３に出力する。
【００３３】
図７は、図４の検出回路４２を構成する例（図５）に追加されるリセット信号生成手段７１、論理情報設定手段７２及び入力情報設定手段７３を示す。
リセット信号生成手段７１は、レベル変化カウンタ５２及び信号状態カウンタ５５及び５６のカウント値、並びに、シフトレジスタ５４及びレジスタ５８のレジスタ値をリセットするための信号を生成する。具体的には、リセット信号生成手段７１は、リセットボタンを備え、ユーザによってリセットボタンが選択されたことを検出した時に、リセット信号を生成する。ユーザはリセットボタンを選択することにより、信号自動検出装置４０を初期化することができる。  論理情報設定手段７２は、復調回路２２によって生成されるデータ信号、Ｓｙｎｃ信号及びＶａｌｉｄ信号が、正論理に基づくものであるのか、負論理に基づくものであるのかを表す。図３及び図６によって示したデータ信号、Ｓｙｎｃ信号及びＶａｌｉｄ信号は、正論理に基づくものである。復調回路２２によって生成されるデータ信号、Ｓｙｎｃ信号及びＶａｌｉｄ信号が、負論理に基づく場合、図３及び図６によって示した信号のＨＩＧＨ状態は、ＬＯＷ状態を示すことを理解できるであろう。具体的には、論理情報設定手段７２は、例えば、負論理ボタンを備え、ユーザによって負論理ボタンが選択されたことを検出した時に、負論理を示す論理情報信号を生成し、その信号をシフトレジスタ５４、及び、信号状態カウンタ５５及び５６に出力する。負論理を示す論理情報信号が入力されると、シフトレジスタ５４は、データ信号の所定のデータ（ヘッダー・データ）の反転データ（例えば、「０１０００１１１」を反転させた「１０１１１０００」）を検出する。また、信号状態カウンタ５５及び５６のそれぞれは、クロック信号及びデータ信号以外に対応する入力端子（例えば、第２及び第４の入力端子）の信号のそれぞれのＬＯＷ状態を、カウントする。
【００３４】
入力情報設定手段７３は、図４の入力端子４１を構成する４つの入力端子に入力される信号の数、即ち、図２の復調回路２２によって生成される信号の数を表す信号を生成し、レジスタ５８に出力する。復調回路２２によってクロック信号、データ信号、Ｓｙｎｃ信号、Ｖａｌｉｄ信号が生成される場合、入力情報設定手段７３は、入力端子４１に４つの信号が入力される事を表す信号を生成し、検出回路４２（信号状態カウンタ５５及び５６、比較器５７並びにレジスタ５８）は、上述のように動作する。
【００３５】
復調回路２２によってクロック信号、データ信号及びＶａｌｉｄ信号が生成される場合、入力情報設定手段７３は、入力端子４１に３つの信号が入力される事を表す信号を生成し、信号状態カウンタ５５及び５６、比較器５７並びにレジスタ５８は、以下のように動作する。信号状態カウンタ５５及び５６は、動作を停止し、これにより、比較器５７は、Ｓｙｎｃ信号が入力端子４１を構成する第１〜第４の入力端子のどれに対応するかを示す第２の比較結果情報信号をレジスタ５８に出力しない。レジスタ５８は、比較結果情報信号及び検出結果情報信号に基づいて、クロック信号及びデータ信号に対応する入力端子（例えば、第３、第１の入力端子）を判定する。レジスタ５８はさらに、残りの入力端子（例えば、第２の入力端子）がＶａｌｉｄ信号に対応することを判定する。レジスタ５８は、クロック信号、データ信号及びＶａｌｉｄ信号のそれぞれが、第１〜第４の入力端子のどれに対応するかを示す検出情報信号を、図４のセレクタ４３に出力する。
【００３６】
復調回路２２によってクロック信号及びデータ信号が生成される場合、入力情報設定手段７３は、入力端子４１に２つの信号が入力される事を表す信号を生成し、信号状態カウンタ５５及び５６、比較器５７並びにレジスタ５８は、以下のように動作する。信号状態カウンタ５５及び５６は、動作を停止し、比較器５７は、第２の比較結果情報信号をレジスタ５８に出力しない。レジスタ５８は、比較結果情報信号及び検出結果情報信号に基づいて、クロック信号及びデータ信号に対応する入力端子（例えば、第３、第１の入力端子）を判定する。レジスタ５８は、クロック信号及びデータ信号のそれぞれが、第１〜第４の入力端子のどれに対応するかを示す検出情報信号を、図４のセレクタ４３に出力する。
【００３７】
なお、本発明は、上述の実施形態に限定されず、また、当業者は、上述の実施形態を特許請求の範囲に含まれる範囲まで、容易に変更することができるであろう。例えば、図８に示すように、自動検出装置４０は、ＢＥＲ測定装置８０の外側にあってもよい。
【図面の簡単な説明】
【００３８】
【図１】ＢＥＲを測定するシステムを構成する例を示す。
【図２】復調装置２０を構成する例を示す。
【図３】復調装置２０によって生成されるクロック信号、データ信号、Ｓｙｎｃ信号及びＶａｌｉｄ信号を説明するための図である。
【図４】ＢＥＲ測定装置８０の信号自動検出装置４０を構成する例を示す。
【図５】検出回路４２を構成する例を示す。
【図６】マスタクロック生成回路５１によって生成されるマスタクロック信号を説明するための図である。
【図７】検出回路４２を構成する残りの要素を示す。
【図８】ＢＥＲを測定するシステムを構成するもう１つ例を示す。
【図１】
2006186523.tif 000003
【図２】
2006186523.tif 000004
【図３】
2006186523.tif 000005
【図４】
2006186523.tif 000006
【図５】
2006186523.tif 000007
【図６】
2006186523.tif 000008
【図７】
2006186523.tif 000009
【図８】
2006186523.tif 000010